(57)【要約】【課題】作業の手間がかかることなく、しかも、費用もかからない安価な装置であって、また、陳列棚に陳列する商品の盗難を未然に防ぐようにして、盗難に対して大きな抑止力を発揮することのできる陳列棚用盗難予防検知装置を提供する。【解決手段】商品を陳列する陳列棚１の左右両側に左右一対の壁板１１を、その前部が陳列棚１より前方に突出するように配置し、この左右一対の壁板１１の少なくとも一方の壁板１１を赤外線遮蔽材料にて作製すると共に、左右一対の壁板１１の他方の壁板１１の前部に焦電素子２１を用いた焦電型赤外線センサ２０を備えた構成とし、この焦電型赤外線センサ２０にて陳列棚１内への人体の動きに対し赤外線を介して検出するようにした陳列棚用盗難予防検知装置である。【選択図】図３
2014049055.tif 000002
【特許請求の範囲】
【請求項１】
商品を陳列する陳列棚（１）の左右両側に左右一対の壁板（１１）を、その前部が陳列棚（１）より前方に突出するように配置し、この左右一対の壁板（１１）の少なくとも一方の壁板（１１）を赤外線遮蔽材料にて作製すると共に、左右一対の壁板（１１）の他方の壁板（１１）の前部に焦電素子（２１）を用いた焦電型赤外線センサ（２０）を備えた構成とし、
この焦電型赤外線センサ（２０）にて陳列棚（１）内への人体の動きに対し赤外線を介して検出するようにしたことを特徴とする陳列棚用盗難予防検知装置。
【請求項２】
前記焦電型赤外線センサ（２０）を縦方向に複数備えたことを特徴とする請求項１記載の陳列棚用盗難予防検知装置。
【請求項３】
前記左右一対の壁板（１１）は、平らな板材であって、前後方向の一方側に傾斜する傾斜辺部（１４）を備え、前後方向の他方側に垂直となる垂直辺部（１５）を備えて、前後方向において入れ替え可能にすると共に、
商品を陳列する陳列棚（１）の前端が傾斜している場合、壁板（１１）の前後方向の一方側の傾斜辺部（１４）を前方に配置すると共に、商品を陳列する陳列棚（１）の前端が垂直となる場合、壁板（１１）の前後方向の他方側の垂直辺部（１５）を前方に配置するようにして、前端が傾斜している陳列棚（１）と前端が垂直となる陳列棚（１）の両方の陳列棚（１）に対応可能にしたことを特徴とする請求項１又は２記載の陳列棚用盗難予防検知装置。
【請求項４】
前記焦電型赤外線センサ（２０）は、赤外線を検出して人体を検出する焦電素子（２１）と、焦電素子（２１）を回転自在に取り付ける基板（２２）と、焦電素子（２１）を取り付けた基板（２２）を嵌め込むようにして固定するホルダ（２３）と、焦電素子（２１）及び基板（２２）を固定したホルダ（２３）を所定の回転角度になるように収容するカバー（２４）と、から成り、
前記ホルダ（２３）の基板（２２）を固定する取り付け面（２７）を、焦電素子（２１）の赤外線の検出領域に合わせて所定の角度の傾斜を付けるようにしたことを特徴とする請求項１乃至３のいずれか記載の陳列棚用盗難予防検知装置。
【発明の詳細な説明】
【技術分野】
【０００１】
本発明は、陳列棚に陳列する商品の盗難を未然に防ぐための陳列棚用盗難予防検知装置に関する。
【背景技術】
【０００２】
従来の商品の盗難を防止する手段としては、陳列する商品それぞれに盗難防止用タグを取り付けると共に、お店の出入り口に盗難防止用タグを検知する検知ゲートを設置して、レジにて商品を清算しないで、そのまま持ち出そうとすると、検知ゲートにて警報音を発するようにしたものが知られていた。
【発明の概要】
【発明が解決しようとする課題】
【０００３】
かかる従来の商品の盗難を防止する手段にあっては、盗難防止用タグを陳列する商品すべてに取り付けなくてはならず、一つ一つの商品に盗難防止用タグを取り付ける作業が非常に手間のかかるものとなり、しかも、膨大な数の盗難防止用タグが必要になると共に、高価な検知ゲートも設置するので、そのための費用もかなりかかるといった問題があった。
【０００４】
また、このような商品の盗難を防止する手段では、商品をレジにて清算しないで、そのまま店の外などに持ち出したときに盗難を検知するようにしていたため、商品の盗難を未然に防ぐといったものではなく、商品の盗難を検知してから、店員や警備員が商品を持ち出した人を捕まえるといったものであり、この際に店員や警備員に危険が及ぶといったおそれもあった。
【０００５】
本発明は、これらの問題点に鑑み、作業の手間がかかることなく、しかも、費用もかからない安価な装置であって、また、陳列棚に陳列する商品の盗難を未然に防ぐようにして、盗難に対して大きな抑止力を発揮することのできる陳列棚用盗難予防検知装置を提供することを、その課題とする。
【課題を解決するための手段】
【０００６】
第一の発明は、商品を陳列する陳列棚の左右両側に左右一対の壁板を、その前部が陳列棚より前方に突出するように配置し、この左右一対の壁板の少なくとも一方の壁板を赤外線遮蔽材料にて作製すると共に、左右一対の壁板の他方の壁板の前部に焦電素子を用いた焦電型赤外線センサを備えた構成とし、この焦電型赤外線センサにて陳列棚内への人体の動きに対し赤外線を介して検出するようにした陳列棚用盗難予防検知装置である。
【０００７】
第二の発明は、第一の発明にあって、焦電型赤外線センサを縦方向に複数備えた陳列棚用盗難予防検知装置である。
【０００８】
第三の発明は、第一又は第二の発明にあって、左右一対の壁板は、平らな板材であって、前後方向の一方側に傾斜する傾斜辺部を備え、前後方向の他方側に垂直となる垂直辺部を備えて、前後方向において入れ替え可能にすると共に、商品を陳列する陳列棚の前端が傾斜している場合、壁板の前後方向の一方側の傾斜辺部を前方に配置すると共に、商品を陳列する陳列棚の前端が垂直となる場合、壁板の前後方向の他方側の垂直辺部を前方に配置するようにして、前端が傾斜している陳列棚と前端が垂直となる陳列棚の両方の陳列棚に対応可能にした陳列棚用盗難予防検知装置である。
【０００９】
第四の発明は、第一又は第二又は第三の発明にあって、前記焦電型赤外線センサは、赤外線を検出して人体を検出する焦電素子と、焦電素子を回転自在に取り付ける基板と、焦電素子を取り付けた基板を嵌め込むようにして固定するホルダと、焦電素子及び基板を固定したホルダを所定の回転角度になるように収容するカバーと、から成り、前記ホルダの基板を固定する取り付け面を、焦電素子の赤外線の検出領域に合わせて所定の角度の傾斜を付けるようにした陳列棚用盗難予防検知装置である。
【発明の効果】
【００１０】
第一の発明によれば、左右一対の壁板の他方の壁板の前部に備えた焦電型赤外線センサにて、陳列棚内の人体の動きを検出することができ、焦電型赤外線センサにより人体の動きを検出すると、例えばスピーカー装置から、「いらっしゃいませ」や「お買い上げありがとうございます」といった音声を発することによって、お客さんに不快な思いをさせることなく注意喚起することができ、商品の盗難を未然に防ぐことができる。しかも、当該陳列棚用盗難予防検知装置を、左右一対の壁板及び焦電素子を用いた焦電型赤外線センサといった比較的安価なもので構成することによって、これを安価に提供することができ、従来のような膨大な数の盗難防止用タグあるいは高価な検知ゲートといったものを不要にすることで、商品の盗難防止のための費用を抑えることができる。
【００１１】
また、第二の発明によれば、焦電型赤外線センサを縦方向に複数備えたことで、焦電型赤外線センサの陳列棚内での未検出領域を少なくして、焦電型赤外線センサよる陳列棚内の人体の動きを確実に検出することができる。
【００１２】
また、第三の発明によれば、前後に傾斜辺部と垂直辺部とを備えた左右一対の壁板で、前後方向において入れ替え可能にすると共に、陳列棚の前端が傾斜している場合、壁板の傾斜辺部を前方に配置すると共に、陳列棚の前端が垂直となる場合、壁板の垂直辺部を前方に配置するようにして、前端が傾斜している陳列棚と前端が垂直となる陳列棚の両方の陳列棚に対応可能にすることで、形状の異なる別の壁板などの部材をわざわざ用意しなくても良く、前端形状の異なるいろいろな陳列棚に使用できることにより、当該陳列棚用盗難予防検知装置を汎用性の高いものにすることができる。
【００１３】
また、第四の発明によれば、焦電型赤外線センサにおいて、ホルダの基板を固定する取り付け面を焦電素子の赤外線の検出領域に合わせて所定の角度の傾斜を付けると共に、焦電素子を基板に回転自在に取り付け、焦電素子及び基板を固定したホルダをカバーの内部に回転自在になるように収容することで、焦電素子における赤外線の検出領域をいろいろな方向に容易に向けることができ、これにより、焦電型赤外線センサを、それぞれの陳列棚に合わせて最適な角度に設定することができ、焦電型赤外線センサにて陳列棚内の人体の動きを極めて良好に検出することができる。
【図面の簡単な説明】
【００１４】
【図１】本発明の陳列棚用盗難予防検知装置の分解斜視図である。
【図２】本発明の陳列棚用盗難予防検知装置の陳列棚に設置する前の状態の説明図である。
【図３】本発明の陳列棚用盗難予防検知装置の陳列棚に設置した状態の説明図である。
【図４】焦電型赤外線センサの分解斜視図である。
【図５】（ａ）焦電型赤外線センサの垂直視野での検出領域を示す説明図である。          （ｂ）焦電型赤外線センサの水平視野での検出領域を示す説明図である。
【図６】焦電型赤外線センサの設置時の検出領域ついて説明した上面図である。
【図７】焦電型赤外線センサの設置時の検出領域の状態を説明した斜視図である。
【図８】別の使用例での陳列棚用盗難予防検知装置の陳列棚に設置する前の状態の説明図である。
【図９】別の使用例での陳列棚用盗難予防検知装置の陳列棚に設置した状態の説明図である。
【発明を実施するための形態】
【００１５】
本発明による陳列棚用盗難予防検知装置の一実施形態について説明する。
この陳列棚用盗難予防検知装置は、タバコ、お菓子、酒類及び飲料品などの商品を陳列する陳列棚１に設置して使用するものであって、この実施形態ではタバコの陳列棚１に使用する場合である。このタバコの陳列棚１としては、その前端が上方から下方に向かって徐々に前方に出るように傾斜したものである。なお、商品については上記のものに限定されるものではなく、その他の商品でも良い。
【００１６】
陳列棚用盗難予防検知装置としては、図１、図２、図３に示すように、タバコを陳列する陳列棚１の左右両側に左右一対の壁板１１を、その前部が陳列棚１より前方に突出するように配置する。この左右一対の壁板１１は、平らな透明の板材であって、上辺部１２と下辺部１３を、そして前後方向の一方側である前側に傾斜する傾斜辺部１４を、前後方向の他方側である後側に垂直となる垂直辺部１５を、それぞれ備えた略縦長台形状になるもので、その高さ寸法を陳列棚１とほぼ同じかそれ以上の寸法にしている。なお、この左右一対の壁板１１については前後方向において入れ替え可能にしている。
【００１７】
また、この左右一対の壁板１１は、左右の壁板１１のどちらか一方あるいは両方、すなわち、左右一対の壁板１１の少なくとも一方の壁板１１を赤外線遮蔽材料にて作製している。この壁板１１を赤外線遮蔽材料にて作製する手段としては、赤外線遮蔽材料そのものを用いて壁板１１を製作する方法や一般的な材料の壁板１１においてその表面に赤外線遮蔽材料を塗布するといった方法などが考えられる。
【００１８】
そして、この左右一対の壁板１１は、上部と下部それぞれにおいて棒状の連結バー１６にて連結している。この連結バー１６は、左右一対の壁板１１にボルトにて固定する。なお、この左右一対の壁板１１の連結は、この連結バー１６による連結に限定されるものではなく、例えば、平板状の連結板にて連結するようにしても良く、また、連結する箇所も上部や下部に限定されるものではなく、それ以外の箇所、例えば後部などでも良い。また、連結バー１６については、その全長を伸縮可能にしても良く、この連結バー１６の伸縮としては、二つに連結バーをスライド自在に重ね合わせることにより伸縮可能にする、あるいは多数の連結バーをつなぎ合わせていくことにより伸縮可能にするといったことが考えられる。
【００１９】
一方、左右一対の壁板１１の他方の壁板１１には、その前部の陳列棚１より前方に突出した箇所に焦電素子２１を用いた焦電型赤外線センサ２０を備え、この焦電型赤外線センサ２０にて陳列棚１内への人体の動きに対して赤外線を介して検出するようにしている。この焦電型赤外線センサ２０は壁板１１に直接取り付けるようになっており、例えば壁板１１の上部と上下中間部の２ヶ所にそれぞれ取り付ける。なお、焦電型赤外線センサ２０の取り付けは、この縦方向の２ヶ所に限定されるものではなく、１ヶ所あるいは縦方向の３ヶ所さらにはそれ以上でも良い。ただし、一般的な陳列棚１であれば、２ヶ所に焦電型赤外線センサ２０を取り付けることによって、陳列棚１全体をほぼカバーすることが可能であり、取り付けが４ヶ所、５ヶ所と増えると、焦電型赤外線センサ２０の数も増え、それだけ費用がかかってしまうので、陳列棚１全体をカバーすることができれば、できるだけ少ない数にするのが望ましい。
【００２０】
そして、この焦電型赤外線センサ２０は、図４に示すように、焦電効果によって赤外線を検出して人体を検出する焦電素子２１と、焦電素子２１を回転自在に取り付ける板状の基板２２と、両端に円板部２５を備えてこの両端の円板部２５の間に焦電素子２１を取り付けた基板２２を嵌め込むようにして固定するホルダ２３と、焦電素子２１及び基板２２を固定したホルダ２３を所定の回転角度になるように収容する円筒状のカバー２４と、から成っており、この円筒状のカバー２４には内部に収容した焦電素子２１の赤外線の検出を行うための窓２６を側面に設けている。
【００２１】
また、この焦電型赤外線センサ２０の焦電素子２１において、赤外線の検出領域Ａとしては、図５（ａ）に示すように、垂直視野（垂直方向から見た場合）では、例えば約２０度の角度Ｖが検出領域Ａとなり、また、図５（ｂ）に示すように、水平視野（水平方向から見た場合）では、例えば約１００度の角度Ｈが検出領域Ａとなる。ただし、この水平視野では検出領域Ａが放射状になることから、複数の未検出領域が存在する。よって、この焦電型赤外線センサ２０を縦方向の２ヶ所に備えることにより、陳列棚１内での未検出領域を少なくして、焦電型赤外線センサ２０よる陳列棚１内の人体の動きを確実に検出できるようにしている。
【００２２】
この焦電型赤外線センサ２０では、ホルダ２３の基板２２を固定する取り付け面２７を、焦電素子２１の赤外線の検出領域Ａに合わせて所定の角度Ｄの傾斜を付けるようにしている。この基板２２を固定する取り付け面２７の傾斜の角度Ｄとしては、図６に示すように、焦電素子２１の垂直視野（垂直方向から見た場合）が約２０度の角度であることから、この半分の約１０度の角度Ｄにしている。これにより、焦電素子２１の赤外線の垂直視野の検出領域Ａの前端を、当該焦電型赤外線センサ２０及び壁板１１に対して直角となる方向に向かわせることができ、左右一対の壁板１１の前端に沿うような形で赤外線の検出ができるようになっている。
【００２３】
このような焦電型赤外線センサ２０にあっては、ホルダ２３の基板２２を固定する取り付け面２７を焦電素子２１の赤外線の検出領域に合わせて所定の角度の傾斜を付けると共に、焦電素子２１を基板２２に回転自在に取り付け、焦電素子２１及び基板２２を固定したホルダ２３をカバー２４の内部に回転自在になるように収容することによって、焦電素子２１における赤外線の検出領域Ａをいろいろな方向に容易に向けることが可能になり、焦電型赤外線センサ２０を、それぞれの陳列棚１に合わせて最適な角度に設定することができ、焦電型赤外線センサ２０にて陳列棚１内の人体の動きを極めて良好に検出することができる。
【００２４】
さらに、図示していないが、焦電型赤外線センサ２０において、赤外線を介して陳列棚１内の人体の動きを検出すると、音を発するスピーカー装置を設けている。このスピーカー装置としては、「いらっしゃいませ」や「お買い上げありがとうございます」といった音声を発したり、メロディーを発したり、あるいは「ピンポン」といった警報音を発したりするものである。
【００２５】
このように、商品であるタバコを陳列する陳列棚１の左右両側に左右一対の壁板１１を、その前部が陳列棚１より前方に突出するように配置し、この左右一対の壁板１１の少なくとも一方の壁板１１を赤外線遮蔽材料にて作製すると共に、左右一対の壁板１１の他方の壁板１１の前部において、その上部と上下中間部の２ヶ所に焦電型赤外線センサ２０をそれぞれ備えることにより、この２ヶ所に取り付けた焦電型赤外線センサ２０によって、図７に示すように、陳列棚１内に陳列する商品であるタバコの前方での人体の動きを確実に検出することができる。これにより、お客さんが商品であるタバコを購入する際、陳列棚１内のタバコを手に取ると、この２ヶ所に取り付けた焦電型赤外線センサ２０にて、これを検知し、スピーカー装置から、「いらっしゃいませ。」や「お買い上げありがとうございます。」といった音声を発することによって、お客さんに不快な思いをさせることなく注意喚起することができ、商品の盗難を未然に防ぐようにして、盗難に対して大きな抑止力を発揮できるようにしている。
【００２６】
また、前述した実施形態にあっては、本発明の陳列棚用盗難予防検知装置を、陳列棚１の前端が傾斜したものに設置して使用した例であったが、陳列棚用盗難予防検知装置における左右一対の壁板１１を前後方向において入れ替え可能にしていることで、陳列棚１の前端が垂直となるものにも設置して使用することができる。
【００２７】
これは、図８、図９に示すように、左右一対の壁板１１において、垂直となる垂直辺部１５を前後方向の前側に配置すると共に、傾斜する傾斜辺部１４を前後方向の後側に配置し、要するに、前述した実施形態で説明した左右一対の壁板１１を１８０度回転させて、垂直辺部１５を前後方向の前側に配置したものである。その他、例えば壁板１１の上部と上下中間部の２ヶ所に焦電型赤外線センサ２０をそれぞれ取り付けるといった点は、前述した実施形態で説明したものと同様である。
【００２８】
このように、陳列棚用盗難予防検知装置における左右一対の壁板１１では、前後方向において入れ替え可能にしたことで、陳列棚１の前端が傾斜している場合、左右一対の壁板１１では、その前後方向の一方側である前側に傾斜辺部１４を配置すると共に、陳列棚１の前端が垂直となる場合、左右一対の壁板１１では、その前後方向の他方側である後側に垂直辺部１５を配置するようにして、前端が傾斜している陳列棚１と前端が垂直となる陳列棚１の両方の陳列棚に対応することができ、前端形状の異なるいろいろな陳列棚１に使用可能にし、当該陳列棚用盗難予防検知装置を汎用性の高いものにすることができる。
【符号の説明】
【００２９】
１…陳列棚、１１…壁板、１２…上辺部、１３…下辺部、１４…傾斜辺部、１５…垂直辺部、１６…連結バー、２０…焦電型赤外線センサ、２１…焦電素子、２２…基板、２３…ホルダ、２４…カバー、２５…円板部、２６…窓、２７…取り付け面
【図１】
2014049055.tif 000003
【図２】
2014049055.tif 000004
【図３】
2014049055.tif 000005
【図４】
2014049055.tif 000006
【図５】
2014049055.tif 000007
【図６】
2014049055.tif 000008
【図７】
2014049055.tif 000009
【図８】
2014049055.tif 000010
【図９】
2014049055.tif 000011